(57)【要約】  トイレの本体部の外に排出された尿を処理するのに適した尿溜容器、及びそれを備えるトイレを提供する。尿溜容器２０は、箱状をしており、トイレ１に設置される。トイレ１は、尿が排泄される箱状の本体部１０を備えている。本体部１０は、底面部１２及び側面部１４を有している。側面部１４には、尿を排出する開口部１６が設けられている。尿溜容器２０の側面部２４には、開口部２６が設けられている。開口部２６は、開口部１６から排出された尿を尿溜容器２０内に流入させる。
2017149644.tif 000002
【特許請求の範囲】
【請求項１】
第１の底面部及び第１の側面部を有し、尿が排泄される箱状の本体部を備え、前記第１の側面部に前記尿を排出する第１の開口部が設けられたトイレに設置される箱状の尿溜容器であって、
当該尿溜容器の側面部である第２の側面部には、前記第１の開口部から排出された前記尿を当該尿溜容器内に流入させる第２の開口部が設けられていることを特徴とする尿溜容器。
【請求項２】
請求項１に記載の尿溜容器において、
当該尿溜容器は、前記第１の開口部が設けられた前記第１の側面部に対して略隙間なく接した状態で設置される尿溜容器。
【請求項３】
請求項１又は２に記載の尿溜容器において、
当該尿溜容器の底面部である第２の底面部及び前記第２の側面部で囲まれた空間を上方から覆う蓋部を有する尿溜容器。
【請求項４】
請求項１乃至３の何れかに記載の尿溜容器において、
前記第２の側面部の上端は、当該尿溜容器が前記トイレに設置された状態で、前記第１の開口部の上端よりも高い位置にある尿溜容器。
【請求項５】
請求項１乃至４の何れかに記載の尿溜容器において、
前記第２の開口部の底面は、当該尿溜容器の内側に向かって下方に傾斜している尿溜容器。
【請求項６】
請求項１乃至５の何れかに記載の尿溜容器において、
当該尿溜容器は、前記本体部に対して着脱可能である尿溜容器。
【請求項７】
請求項１乃至６の何れかに記載の尿溜容器において、
当該尿溜容器には、把手が設けられている尿溜容器。
【請求項８】
請求項１乃至７の何れかに記載の尿溜容器において、
当該尿溜容器には、前記尿を吸収する吸水材が配設される尿溜容器。
【請求項９】
請求項８に記載の尿溜容器において、
前記吸水材は、植物性材料の粉砕物と吸水性ポリマーとの混合物からなる尿溜容器。
【請求項１０】
請求項９に記載の尿溜容器において、
前記植物性材料は、茶葉又は茶殻である尿溜容器。
【請求項１１】
請求項９に記載の尿溜容器において、
前記植物性材料は、コーヒー豆、インスタントコーヒー又はコーヒー滓である尿溜容器。
【請求項１２】
請求項９に記載の尿溜容器において、
前記植物性材料は、枝、葉又は花である尿溜容器。
【請求項１３】
請求項８乃至１２の何れかに記載の尿溜容器において、
当該尿溜容器内には、前記吸水材を収容する収容袋が設置される尿溜容器。
【請求項１４】
請求項１３に記載の尿溜容器において、
前記収容袋には、前記吸水材を通過させずに前記尿を通過させる穴部が設けられている尿溜容器。
【請求項１５】
請求項１４に記載の尿溜容器において、
前記収容袋の少なくとも一部分は、網状をしており、当該部分の網目が前記穴部を構成している尿溜容器。
【請求項１６】
請求項１乃至１５の何れかに記載の尿溜容器において、
当該尿溜容器の外側に突出する架橋部材が設けられており、
前記架橋部材は、前記第２の開口部の底面と連続しており、当該第２の開口部に流入する前記尿の流路となる尿溜容器。
【請求項１７】
請求項１６に記載の尿溜容器において、
前記架橋部材は、当該尿溜容器の外側に向かって上方に傾斜している尿溜容器。
【請求項１８】
請求項１乃至１７の何れかに記載の尿溜容器と、
前記本体部と、
を備えることを特徴とするトイレ。
【請求項１９】
請求項１８に記載のトイレにおいて、
相異なる容積を有する複数の前記尿溜容器を備えるトイレ。
【請求項２０】
請求項１８又は１９に記載のトイレにおいて、
前記第１の底面部は、前記本体部に排泄された前記尿が前記第１の開口部まで流れるように傾斜しているトイレ。
【請求項２１】
請求項２０に記載のトイレにおいて、
前記第１の底面部は、全体が傾斜しているトイレ。
【請求項２２】
請求項１８乃至２１の何れかに記載のトイレにおいて、
前記本体部が載置される床面を基準としたとき、前記第１の開口部の下端の高さは、３０ｍｍ以上であるトイレ。
【請求項２３】
請求項１８乃至２２の何れかに記載のトイレにおいて、
前記第１の開口部は、横長の形状をしているトイレ。
【請求項２４】
請求項１８乃至２３の何れかに記載のトイレにおいて、
前記第１の底面部は、平面視で略矩形状をしており、
前記本体部は、４つの前記第１の側面部を有しているトイレ。
【請求項２５】
請求項２４に記載のトイレにおいて、
前記第１の開口部の横の長さは、当該第１の開口部が設けられた前記第１の側面部の横幅よりも小さいトイレ。
【請求項２６】
請求項２５に記載のトイレにおいて、
前記第１の開口部の前記横の長さは、前記第１の側面部の前記横幅の３分の１以下であるトイレ。
【請求項２７】
請求項１８乃至２６の何れかに記載のトイレにおいて、
前記第１の開口部の底面は、前記本体部の外側に向かって下方に傾斜しているトイレ。
【請求項２８】
請求項１８乃至２７の何れかに記載のトイレにおいて、
前記本体部内には、前記尿を透過させる複数の粒状体が敷設されるトイレ。
【請求項２９】
請求項２８に記載のトイレにおいて、
前記粒状体は、前記第１の底面部上に直接敷設されるトイレ。
【請求項３０】
請求項２８又は２９に記載のトイレにおいて、
前記第１の開口部は、前記粒状体を通過させないトイレ。
【請求項３１】
請求項１８乃至３０の何れかに記載のトイレにおいて、
前記第１の開口部には、当該第１の開口部の一部を閉塞するストッパー部材が設けられているトイレ。
【請求項３２】
請求項３１に記載のトイレにおいて、
前記ストッパー部材は、網状又は櫛状をしているトイレ。
【請求項３３】
請求項１８乃至３２の何れかに記載のトイレにおいて、
前記第１の側面部の内面から前記本体部の内側に張り出すように設けられ、前記尿からの臭気の上昇を遮断する遮蔽部材を備えるトイレ。
【請求項３４】
請求項３３に記載のトイレにおいて、
前記遮蔽部材は、前記本体部の内側に向かって下方に傾斜しているトイレ。
【請求項３５】
請求項３３又は３４に記載のトイレにおいて、
前記遮蔽部材の一部は、下方に屈曲しているトイレ。
【発明の詳細な説明】
【技術分野】
【０００１】
本発明は、動物又は人用のトイレに設置される尿溜容器、及び当該尿溜容器を備えるトイレに関する。
【背景技術】
【０００２】
従来のトイレとしては、例えば特許文献１に記載されたものがある。同文献に記載のトイレは、動物用のトイレであって、箱状の本体部、及び本体部内に配された仕切部材（簀子）を備えている。本体部の内部空間は、仕切部材により上下に区画されている。仕切部材上には、低吸水性を有する粒状体が多数敷設されている。また、仕切部材の下方には、吸水性シートが配設されている。かかる構成のトイレにおいて、動物の尿は、粒状体どうしの間、及び仕切部材を通過した後、吸水性シートに吸収される。
【先行技術文献】
【特許文献】
【０００３】
【特許文献１】特開２００３−１８０１８２号公報
【発明の概要】
【発明が解決しようとする課題】
【０００４】
特許文献１に記載のトイレにおいては、吸水性シートに吸収された尿が本体部内に残留する。その尿から悪臭が発生すると、その臭気が、本体部内を上昇し、本体部の上部からトイレの外に漏れてしまうことがある。このことは、ユーザ（動物の飼主等）に不快感を与える要因となる。【０００５】
本発明者は、かかる臭気漏れを防ぐことのできるトイレを別途提案している。そのトイレにおいては、箱状の本体部の側面部に、尿を通過させる開口部が設けられている。また、本体部の底面部は、本体部に排泄された尿が上記開口部まで流れるように傾斜している。【０００６】
かかる構造のトイレにおいて、本体部内に排泄された尿は、開口部を通じて本体部の外に排出される。これにより、尿が本体部に残留しないため、尿から発生した臭気が本体部の上部からトイレの外に漏れるのを防ぐことができる。しかしながら、本体部の外に排出された尿は、ユーザにおいて処理する必要がある。【０００７】
本発明は、上記課題に鑑みてなされたものであり、トイレの本体部の外に排出された尿を処理するのに適した尿溜容器、及びそれを備えるトイレを提供することを目的とする。
【課題を解決するための手段】
【０００８】
本発明による尿溜容器は、第１の底面部及び第１の側面部を有し、尿が排泄される箱状の本体部を備え、上記第１の側面部に上記尿を排出する第１の開口部が設けられたトイレに設置される箱状の尿溜容器であって、当該尿溜容器の側面部である第２の側面部には、上記第１の開口部から排出された上記尿を当該尿溜容器内に流入させる第２の開口部が設けられていることを特徴とする。【０００９】
この尿溜容器においては、側面部（第２の側面部）に第２の開口部が設けられている。第２の開口部は、第１の開口部から排出された尿を尿溜容器内に流入させるように設けられている。このため、第１の開口部から本体部の外に排出された尿を、第２の開口部を通じて尿溜容器の中に取り込んで、尿溜容器内に溜めることができる。これにより、当該尿を容易に処理することができる。
【発明の効果】
【００１０】
本発明によれば、トイレの本体部の外に排出された尿を処理するのに適した尿溜容器、及びそれを備えるトイレが実現される。
【図面の簡単な説明】
【００１１】
【図１】本発明によるトイレの一実施形態を示す斜視図である。
【図２】図１のトイレにおける本体部１０を示す平面図である。
【図３】図２のIII−III線に沿った端面図である。
【図４】図２のIV−IV線に沿った端面図である。
【図５】図２のV−V線に沿った端面図である。
【図６】使用時の本体部１０を示す端面図である。
【図７】本体部１０の横に尿溜容器２０が設置された状態を示す端面図である。
【図８】本体部１０に尿溜容器２０を着脱可能に固定するための構造の一例を説明するための図である。
【図９】本体部１０に尿溜容器２０を着脱可能に固定するための構造の一例を説明するための図である。
【図１０】使用時の尿溜容器２０を示す端面図である。
【図１１】収容袋５０を示す正面図である。
【図１２】開口部１６の一変形例を説明するための図である。
【図１３】開口部１６の他の変形例を説明するための図である。
【図１４】開口部１６の他の変形例を説明するための図である。
【図１５】開口部１６に設けられるストッパー部材６２の一例を説明するための図である。
【図１６】開口部１６に設けられるストッパー部材６２の他の例を説明するための図である。
【図１７】本体部１０の一変形例を説明するための図である。
【図１８】図１７の遮蔽部材６４の構造を説明するための図である。
【図１９】図１７の遮蔽部材６６の構造を説明するための図である。
【図２０】尿溜容器２０の一変形例を説明するための図である。
【図２１】図２０の架橋部材６８の構造を説明するための図である。
【図２２】図２０の尿溜容器２０が本体部１０の横に設置された状態を示す端面図である。
【図２３】架橋部材６８が設けられた本体部１０を示す端面図である。
【発明を実施するための形態】
【００１２】
以下、図面を参照しつつ、本発明の実施形態について詳細に説明する。なお、図面の説明においては、同一要素には同一符号を付し、重複する説明を省略する。
【００１３】
図１は、本発明によるトイレの一実施形態を示す斜視図である。トイレ１は、動物又は人用のトイレであって、本体部１０、及び尿溜容器２０を備えている。本体部１０は、箱状をしており、底面部１２（第１の底面部）及び側面部１４（第１の側面部）を有している。側面部１４には、開口部１６（第１の開口部）が設けられている。本体部１０は、尿が排泄される便器として機能する。本体部１０の材料としては、例えば、ポリプロピレン、ポリエチレン等の樹脂を用いることができる。
【００１４】
図２は、本体部１０を示す平面図である。同図からわかるように、底面部１２は、平面視で略矩形状をしている。これに伴い、本体部１０には、４つの側面部１４が設けられている。本体部１０の外形は、略直方体状をしている。
【００１５】
図３、図４及び図５は、それぞれ、図２のIII−III線、IV−IV線及びV−V線に沿った端面図である。これらの図からわかるように、底面部１２は、本体部１０に排泄された尿が開口部１６まで流れるように傾斜している。底面部１２は、開口部１６の底面に連続している。本実施形態においては、底面部１２の全体が傾斜している。底面部１２は、連続する複数の平面１２ａ，１２ｂ，１２ｃからなる。平面１２ａは、平面１２ｃに向かって下方に傾斜している。平面１２ｂも、平面１２ｃに向かって下方に傾斜している。また、平面１２ｃは、開口部１６に向かって下方に傾斜している。
【００１６】
図１に戻って、開口部１６は、４つの側面部１４のうちの１つに設けられている。開口部１６は、横長の形状をしている。開口部１６の縦の長さ（側面部１４の上下方向についての長さ）は、例えば、３ｍｍ以上１０ｍｍ以下である。開口部１６の横の長さ（開口部１６が設けられた側面部１４の左右方向についての長さ）は、例えば、３０ｍｍ以上１００ｍｍ以下である。図２に示すように、開口部１６の横の長さｗ１は、開口部１６が設けられた側面部１４の横幅（内寸）ｗ２よりも小さい。開口部１６の横の長さｗ１は、側面部１４の横幅ｗ２の３分の１以下であることが好ましい。
【００１７】
本体部１０が載置される床面を基準としたとき、開口部１６の下端の高さｈ１（図１参照）は、３０ｍｍ以上であることが好ましい。高さｈ１は、側面部１４の下端から開口部１６の下端までの距離に等しい。本実施形態において開口部１６は、側面部１４の端部に位置している。すなわち、開口部１６が設けられた側面部１４と隣り合う側面部１４の内面と同一平面上に、開口部１６の側端の一方が存在している。また、図４からわかるように、開口部１６の底面は、本体部１０の外側に向かって下方に傾斜している。換言すると、開口部１６の底面は、側面部１４の内面から外面に向かって下方に傾斜している。開口部１６は、本体部１０内に排泄された尿を本体部１０の外に排出する部分である。この開口部１６は、尿を通過させるが、後述する粒状体３０は通過させない。
【００１８】
図６は、使用時の本体部１０を示す端面図である。同図は、図４と同様の端面を示している。図６に示すように、トイレ１の使用時、本体部１０内には、複数の粒状体３０が敷設される。粒状体３０は、底面部１２上に直接敷設される。これらの粒状体３０は、尿を透過させる透水性のトイレ用敷材である。すなわち、各粒状体３０は、尿を全く吸収しないか、殆ど吸収しない性質を有している。各粒状体３０は、抗菌性を有していることが好ましい。また、各粒状体３０は、脱臭性又は消臭性を有していることが好ましい。粒状体３０としては、例えば、非吸水性又は低吸水性の公知のトイレ用敷材を用いることができる。
【００１９】
図１に戻って、トイレ１には、尿溜容器２０が設置される。尿溜容器２０は、開口部１６を通過した尿を溜める容器である。尿溜容器２０は、箱状をしており、底面部２２（第２の底面部）及び側面部２４（第２の側面部）を有している。底面部２２は、平面視で略矩形状をしている。これに伴い、尿溜容器２０には、４つの側面部２４が設けられている。尿溜容器２０の外形は、本体部１０の外形と同様、略直方体状をしている。ただし、尿溜容器２０の体積は、本体部１０の体積よりも小さい。また、底面部２２は、底面部１２と異なり、傾斜していない。
【００２０】
側面部２４には、開口部２６（第２の開口部）が設けられている。開口部２６は、開口部１０から排出された尿を尿溜容器２０内に流入させるように設けられている。開口部２６は、４つの側面部２４のうちの１つに設けられている。開口部２６は、開口部１６と略同一の形状及び大きさをしている。厳密には、側面部１４の外面における開口部１６の形状及び大きさと、側面部２４の外面における開口部２６の形状及び大きさとが略一致する。さらに、尿溜容器２０は、底面部２２及び側面部２４で囲まれた空間を上方から覆う蓋部２８を有している。蓋部２８は、開閉可能に設けられている。トイレ１の使用時、蓋部２８は閉じられる。蓋部２８が閉じられた状態では、尿溜容器２０内は、開口部２６を除いて密閉される。尿溜容器２０の材料としては、例えば、ポリプロピレン、ポリエチレン等の樹脂を用いることができる。
【００２１】
図７は、本体部１０の横に尿溜容器２０が設置された状態を示す端面図である。同図に示すように、トイレ１の使用時、尿溜容器２０は、開口部１６が設けられた側面部１４に対して略隙間なく接した状態で設置される。このとき、尿溜容器２０の開口部２６は、本体部１０の開口部１６に重なる。本実施形態において開口部１６と開口部２６とは、互いに完全に重なり合う。すなわち、開口部１６の全体が開口部２６に重なるとともに、開口部２６の全体も開口部１６に重なる。側面部２４の上端は、開口部１６の上端よりも高い位置にある。開口部２６の底面は、尿溜容器２０の内側に向かって下方に傾斜している。換言すると、開口部２６の底面は、側面部２４の外面から内面に向かって下方に傾斜している。また、尿溜容器２０には、把手２９が設けられている。具体的には、把手２９は、開口部２６が設けられた側面部２４と対向する側面部２４に設けられている。
【００２２】
尿溜容器２０は、本体部１０に対して着脱可能に固定されている。ここで、着脱可能とは、本体部１０及び尿溜容器２０を損傷することなく、本体部１０に対する尿溜容器２０の取付け及び取外しを容易に行えるということである。
【００２３】
かかる構成は、例えば図８に示すように、側面部１４に突条１４ａを設けるとともに、側面部２４に溝２４ａを設けることにより実現することができる。同図は、側面部１４及び側面部２４を上から見た図である。突条１４ａは、側面部１４における側面部２４に対向する部分に設けられている。突条１４ａは、側面部１４から遠ざかるにつれて幅が広くなるテーパ状の断面形状を有しており、側面部１４の上下方向（図８において紙面に垂直な方向）に延在している。他方、溝２４ａは、側面部２４における側面部１４に対向する部分に設けられている。溝２４ａは、側面部２４の内部に近づくにつれて幅が広くなるテーパ状の断面形状を有しており、側面部２４の上下方向に延在している。溝２４ａの断面は、突条１４ａの断面と略同一の形状及び大きさを有している。
【００２４】
本体部１０に対して尿溜容器２０を上下方向にスライドさせて、図９に示すように突条１４ａと溝２４ａとを嵌合させることにより、本体部１０に尿溜容器２０を取り付けて固定することができる。また、本体部１０に対して尿溜容器２０を上下方向にスライドさせて、突条１４ａと溝２４ａとの嵌合を解くことにより、本体部１０から尿溜容器２０を取り外すことができる。
【００２５】
図１０は、使用時の尿溜容器２０を示す端面図である。同図に示すように、トイレ１の使用時、尿溜容器２０内には、尿を吸収する吸水材４０が配設される。吸水材４０は、例えば、植物性材料の粉砕物と吸水性ポリマーとの混合物（粉体）からなる。その場合、植物性材料としては、例えば、茶類（茶葉、茶殻等）、又はコーヒー類（コーヒー豆、インスタントコーヒー、コーヒー滓等）を用いることができる。植物性材料としては、各種植物の枝、葉（例えば笹の葉）又は花を用いてもよい。なお、吸水材４０は、吸水性ポリマーのみからなっていてもよい。また、吸水材４０としては、粒状のトイレ用敷材（例えば上記粉体を造粒したもの）、又はシート状のトイレ用敷材（吸水性シート）を用いてもよい。
【００２６】
尿溜容器２０には、収容袋５０が設けられている。収容袋５０は、吸水材４０を収容する袋であり、尿溜容器２０内に設置される。収容袋５０は、底面部２２の上面及び側面部２４の内面の略全体を覆っている。収容袋５０は、側面部２４の上端で折り返されている。この折り返された部分が側面部２４と蓋部２８とで挟まれることにより、収容袋５０が尿溜容器２０に固定されている。
【００２７】
図１１は、収容袋５０を示す正面図である。収容袋５０には、穴部５２が設けられている。穴部５２は、尿を通過させる一方で、吸水材４０は通過させない。本実施形態においては、収容袋５０の少なくとも一部分（開口部２６に重なる領域を含む部分）が網状をしており、当該部分の網目が穴部５２を構成している。図１１においては、収容袋５０の全体が網状をしている例を示している。収容袋５０の材料としては、例えば、ポリエチレン、ポリ塩化ビニル、ナイロン等を用いることができる。
【００２８】
本実施形態の効果を説明する。尿溜容器２０においては、側面部２４に開口部２６が設けられている。開口部２６は、開口部１６から排出された尿を尿溜容器２０内に流入させるように設けられている。このため、開口部１６から本体部１０の外に排出された尿を、開口部２６を通じて尿溜容器２０の中に取り込んで、尿溜容器２０内に溜めることができる。これにより、当該尿を容易に処理することができる。したがって、トイレ１の本体部１０の外に排出された尿を処理するのに適した尿溜容器２０が実現されている。
【００２９】
このように開口部２６は、尿溜容器２０の側面部２４に設けられている。これにより、側面部２４から尿を尿溜容器２０内に取り込めるようになるため、側面部２４の高さを大きくすることができる。側面部２４の高さを大きくすることは、尿溜容器２０の容積を大きくし、より多量の尿を溜められるようになる点で有利である。
【００３０】
尿溜容器２０は、開口部１６が設けられた側面部１４に略隙間なく接した状態で設置される。これにより、本体部１０と尿溜容器２０との間に尿を移送するための手段を設けることなく、開口部１６から排出された尿を尿溜容器２０内に直接導くことができる。
【００３１】
開口部２６の底面は、尿溜容器２０の内側に向かって下方に傾斜している。これにより、本体部１０の外に排出された尿を開口部２６を通じて尿溜容器２０内に、よりスムーズに流入させることができる。
【００３２】
側面部２４の上端は、尿溜容器２０がトイレ１に設置された状態で、開口部１６の上端よりも高い位置にある。これにより、尿溜容器２０内に溜った尿から発生した臭気が開口部１６を通じて本体部１０内に流れ込むのを抑制することができる。
【００３３】
尿溜容器２０は、底面部２２及び側面部２４で囲まれた空間を上方から覆う蓋部２８を有している。これにより、尿溜容器２０内に溜った尿から発生した臭気が、尿溜容器２０の上部から外に漏れるのを防ぐことができる。
【００３４】
尿溜容器２０は、本体部１０に対して着脱可能である。これにより、尿溜容器２０に溜った尿の処分や、本体部１０及び尿溜容器２０の清掃が容易になる。すなわち、本体部１０から尿溜容器２０を取り外すことにより、尿の処分や清掃を行いやすくなる。
【００３５】
尿溜容器２０には、把手２９が設けられている。これにより、本体部１０に対する尿溜容器２０の着脱が容易になる。
【００３６】
尿溜容器２０に溜った尿が開口部２６を通じて尿溜容器２０の外に漏れるのを防ぐには、開口部１６（及び開口部２６）の位置が高い方が有利である。かかる観点から、開口部１６の下端の高さｈ１（図１参照）は、３０ｍｍ以上であることが好ましい。
【００３７】
トイレ１の使用時、尿溜容器２０内には、尿を吸収する吸水材４０が配設される。これにより、かかる吸水材４０が設けられていない場合に比して、尿が尿溜容器２０の外に漏れにくくなる。
【００３８】
吸水材４０が植物性材料の粉砕物と吸水性ポリマーとの混合物からなる場合、植物性材料の消臭効果により尿の悪臭を緩和することができる。また、吸水性ポリマーの吸水力により、多量の尿を吸収することができる。
【００３９】
植物性材料として茶類又はコーヒー類を用いた場合、特に優れた消臭効果を得ることができる。また、茶殻やコーヒー滓のような廃棄物を用いた場合、廃棄物を有効活用することができる。
【００４０】
尿溜容器２０には、収容袋５０が設けられている。これにより、尿を吸収した吸水材４０をまとめて収容袋５０ごと尿溜容器２０から取り出すことができる。したがって、尿溜容器２０に溜った尿の処分が一層容易になる。
【００４１】
収容袋５０には、吸水材４０を通過させずに尿を通過させる穴部５２が設けられている。これにより、吸水材４０が収容袋５０の外にこぼれるのを防ぎつつ、開口部２６を通過した尿を収容袋５０内に導くことができる。
【００４２】
収容袋５０の少なくとも一部分が網状をしており、当該部分の網目が穴部５２を構成している。これにより、簡易な構成で、穴部５２を有する収容袋５０を実現することができる。
【００４３】
本体部１０の側面部１４に開口部１６が設けられている。そして、本体部１０の底面部１２は、尿が開口部１６まで流れるように傾斜している。このため、本体部１０内に排泄された尿は、粒状体３０どうしの間を通過した後、底面部１２上を流れて、開口部１６に達する。開口部１６に達した尿は、開口部１６を通過して、本体部１０の外に排出される。これにより、尿が本体部１０に残留しないため、尿から発生した臭気が本体部１０の上部からトイレ１の外に漏れるのを防ぐことができる。
【００４４】
ところで、便器という本体部１０の機能上、その上部開口は広くせざるを得ない。そのため、本体部１０内で尿から悪臭が発生すると、その臭気が本体部１０の上部から漏れるのを防ぐことは困難である。したがって、かかる臭気漏れを防ぐには、本実施形態におけるように尿を本体部１０内に残留させないことが重要である。
【００４５】
また、本体部１０の上部からの臭気漏れを防ぐ手段としては、本体部１０に蓋を設けることも考えられる。しかし、便器という本体部１０の機能上、少なくとも使用時には蓋を開けざるを得ない。特にトイレ１を動物用のトイレとして使用する場合、動物が自ら蓋を開閉することは困難であるため、使用時以外も蓋を開けておく必要がある。そのため、蓋を設けたとしても、本体部１０の上部からの臭気漏れを充分に防ぐことはできない。この点、本実施形態によれば、本体部１０内に排泄された尿が即時に本体部１０の外に排出されるため、本体部１０の上部からの臭気漏れの問題を根本的に解決することができる。
【００４６】
底面部１２は、全体が傾斜している。これにより、排泄された尿が底面部１２上のどの位置に落ちても、当該尿を開口部１６まで確実に導くことができる。
【００４７】
開口部１６は、横長の形状をしている。すなわち、開口部１６は、横の長さが大きく、縦の長さが小さい。尿のような液体は、横に広がる性質を有する。それゆえ、開口部１６の横の長さを大きくすることは、多量の尿を迅速に通過させるのに適している。これにより、多量の尿が排泄された場合であっても、当該尿を開口部１６を通じてスムーズに本体部１０の外に排出することができる。他方、開口部１６の縦の長さを小さくすることは、当該開口部１６を粒状体３０が通過するのを防ぐ上で有利である。
【００４８】
開口部１６の横の長さは、開口部１６が設けられた側面部１４の横幅よりも小さい。すなわち、開口部１６は、側面部１４の左右方向について、側面部１４の一部分にのみ設けられている。これにより、側面部１４の全体にわたって開口部１６を設けた場合に比して、本体部１０の外に排出された尿から発生した臭気が開口部１６を通じて本体部１０内に流れ込むのを抑制しやすくなる。かかる観点から、開口部１６の横の長さは、側面部１４の横幅の３分の１以下であることが好ましい。
【００４９】
開口部１６の底面は、本体部１０の外側に向かって下方に傾斜している。これにより、本体部１０内に排泄された尿を開口部１６を通じて本体部１０の外に、よりスムーズに排出することができる。
【００５０】
粒状体３０は、底面部１２上に直接敷設されている。このため、本体部１０においては、粒状体３０と底面部１２との間に仕切部材を設ける必要がない。これにより、本体部１０ひいてはトイレ１の構造が複雑化するのを回避することができる。
【００５１】
本発明は、上記実施形態に限定されるものではなく、様々な変形が可能である。上記実施形態において、開口部１６の形状、大きさ、位置及び数は、任意である。開口部１６は、図１２に示すように、側面部１４の端部ではなく中央部に位置していてもよい。開口部１６は、図１３に示すように、側面部１４の左右方向について、側面部１４の全体にわたって設けられていてもよい。この場合、開口部１６の両側端が、開口部１６が設けられた側面部１４と隣り合う側面部１４の内面と同一平面上に存在する。また、開口部１６は、図１４に示すように、複数設けられていてもよい。同図においては、正面視で円形の開口部１６が５つ設けられている。これらの開口部１６は、側面部１４の左右方向に一直線上に等間隔で配列されている。同様に、開口部２６の形状、大きさ、位置及び数も、任意である。
【００５２】
上記実施形態においては、尿溜容器２０が１つだけ設けられた例を示した。しかし、トイレ１は、相異なる容積を有する複数の尿溜容器２０を備えていてもよい。その場合、尿溜容器２０内に尿を溜めておく日数（尿溜容器２０内に溜った尿を処分する頻度）に応じて、適当な容積の尿溜容器２０を使用することができる。例えば、１日分の尿を溜めておくのに適した容積の尿溜容器２０、２日分の尿を溜めておくのに適した容積の尿溜容器２０、３日分の尿を溜めておくのに適した容積の尿溜容器２０、及び７日分の尿を溜めておくのに適した容積の尿溜容器２０の４つを用意しておき、これらを適宜使い分けることが考えられる。
【００５３】
上記実施形態において、粒状体３０は、化学的に一体の樹脂からなるものであってもよい。化学的に一体の樹脂からなるとは、各粒状体３０を構成する樹脂全体が化学的に一体をなしているということである。複数の樹脂片が絡み合って１つの固まりをなしたものや、複数の樹脂片がバインダー等を介して互いに接合されて１つの固まりをなしたものは、「化学的に一体の樹脂」に該当しない。粒状体３０は、例えば、射出成型やブロー成形のように、溶融した樹脂を金型を用いて成形することにより得られる。粒状体３０の材料としては、例えば、ポリプロピレン、ポリエチレン等の樹脂を用いることができる。
【００５４】
このように粒状体３０が化学的に一体の樹脂からなる場合、尿を全く吸収しない性質を有する粒状体３０を容易に実現することができる。これに対し、特許文献１に記載の粒状体のように、材料の粉砕物が押し固められてなる粒状体において、完全な非吸水性を実現することは困難である。かかる粒状体においては、非吸水性の材料を用いたとしても、粉砕物どうしの間に隙間があるため、その隙間を通じて内部に尿が浸入してしまうからである。粒状体に吸収された尿から悪臭が発生することも、本体部１０の上部からの臭気漏れにつながる。それゆえ、粒状体３０が尿を全く吸収しないことは、かかる臭気漏れを防ぐ上で有利である。
【００５５】
上記実施形態において、開口部１６には、図１５及び図１６に示すように、開口部１６の一部を閉塞するストッパー部材６２が設けられていてもよい。図１５においてストッパー部材６２は、網状をしている。図１６においてストッパー部材６２は、櫛状をしている。かかるストッパー部材６２を設けることにより、開口部１６を通じて粒状体３０が本体部１０の外にこぼれるのを、より確実に阻止することができる。
【００５６】
上記実施形態において、本体部１０には、図１７〜図１９に示すように、尿からの臭気の上昇を遮断する遮蔽部材６４，６６が設けられていてもよい。図１８及び図１９は、図１７の本体部１０を示す平面図である。ただし、図１９においては、遮蔽部材６４の図示を省略している。各遮蔽部材６４，６６は、板状をしており、側面部１４の内面から本体部１０の内側に張り出している。各遮蔽部材６４，６６は、本体部１０の内側に向かって下方に傾斜している。また、各遮蔽部材６４，６６の一部は、下方に屈曲している。詳細には、各遮蔽部材６４，６６の先端付近の部分が鉛直方向下向きに屈曲している。遮蔽部材６６は、側面部１４の上下方向について、遮蔽部材６４と底面部１２との間に位置している。遮蔽部材６４は、図１８からわかるように、平面視で、側面部１４の内面の全体にわたって設けられている。すなわち、遮蔽部材６４は、環状に設けられている。それゆえ、遮蔽部材６４で囲まれた部分に開口が生じるが、この開口は、粒状体３０の通過を妨げないように充分な大きさを有している。他方、遮蔽部材６６は、図１９からわかるように、平面視で、側面部１４の内面の一部分（開口部１６が設けられた領域を含む部分）にのみ設けられている。
【００５７】
かかる遮蔽部材６４，６６を設けることにより、本体部１０内で尿の臭気の上昇が起こった場合であっても、それを遮断し、本体部１０の上部からの臭気漏れを抑制することができる。しかも、遮蔽部材６４，６６が本体部１０の内側に向かって下方に傾斜しているため、各遮蔽部材６４，６６の下面と側面部１４の内面との間の空間に、臭気を閉じ込めることができる。これにより、臭気の遮断効果を高めることができる。さらに、遮蔽部材６４，６６の一部は、下方に屈曲している。このため、遮蔽部材６４，６６によって捕捉された臭気が遮蔽部材６４，６６の外に逃げにくくなる。これにより、臭気の遮断効果を一層高めることができる。また、開口部１６の入口付近は、上方が遮蔽部材６６によって覆われている。これにより、本体部１０の外に排出された尿からの臭気が開口部１６を通じて本体部１０内に流れ込んできた場合であっても、当該臭気の上昇を効果的に遮断することができる。
【００５８】
上記実施形態において、尿溜容器２０には、図２０に示すように、架橋部材６８が設けられていてもよい。架橋部材６８は、尿溜容器２０に固定されており、尿溜容器２０の外側に突出している。架橋部材６８は、開口部２６の底面と連続しており、開口部２６に流入する尿の流路となる。架橋部材６８は、尿溜容器２０の外側に向かって上方に傾斜している。図２１に示すように、架橋部材６８は、その上を流れる尿がこぼれないように両端が中央部よりも高くなっている。同図は、架橋部材６８の突出方向に垂直な断面を示している。図２２に示すように、使用時、開口部１６と開口部２６とが架橋部材６８によって橋渡しされるように、尿溜容器２０が設置される。この場合、開口部２６は、開口部１６よりも低い位置に配設されている。かかる構成により、尿溜容器２０を本体部１０から離れた位置に設置しても、開口部１６から排出された尿を架橋部材６８を通じて尿溜容器２０内に導くことができる。なお、架橋部材６８は、使用されないときに収納又は取外しできるように構成されてもよい。
【００５９】
架橋部材６８は、図２３に示すように、本体部１０に設けられていてもよい。同図において架橋部材６８は、本体部１０に固定されており、本体部１０の外側に突出している。この架橋部材６８は、開口部１６の底面と連続しており、開口部１６を通過した尿の流路となる。この場合、架橋部材６８は、本体部１０の外側に向かって下方に傾斜している。
【符号の説明】
【００６０】
１  トイレ
１０  本体部
１２  底面部（第１の底面部）
１２ａ，１２ｂ，１２ｃ  平面
１４  側面部（第１の側面部）
１４ａ  突条
１６  開口部（第１の開口部）
２０  尿溜容器
２２  底面部（第２の底面部）
２４  側面部（第２の側面部）
２４ａ  溝
２６  開口部（第２の開口部）
２８  蓋部
２９  把手
３０  粒状体
４０  吸水材
５０  収容袋
５２  穴部
６２  ストッパー部材
６４  遮蔽部材
６６  遮蔽部材
６８  架橋部材
【図１】
2017149644.tif 000003
【図２】
2017149644.tif 000004
【図３】
2017149644.tif 000005
【図４】
2017149644.tif 000006
【図５】
2017149644.tif 000007
【図６】
2017149644.tif 000008
【図７】
2017149644.tif 000009
【図８】
2017149644.tif 000010
【図９】
2017149644.tif 000011
【図１０】
2017149644.tif 000012
【図１１】
2017149644.tif 000013
【図１２】
2017149644.tif 000014
【図１３】
2017149644.tif 000015
【図１４】
2017149644.tif 000016
【図１５】
2017149644.tif 000017
【図１６】
2017149644.tif 000018
【図１７】
2017149644.tif 000019
【図１８】
2017149644.tif 000020
【図１９】
2017149644.tif 000021
【図２０】
2017149644.tif 000022
【図２１】
2017149644.tif 000023
【図２２】
2017149644.tif 000024
【図２３】
2017149644.tif 000025
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
第１の底面部及び第１の側面部を有し、尿が排泄される箱状の本体部を備え、前記第１の側面部に前記尿を排出する第１の開口部が設けられたトイレに設置される箱状の尿溜容器であって、
当該尿溜容器の側面部である第２の側面部には、前記第１の開口部から排出された前記尿を当該尿溜容器内に流入させる第２の開口部が設けられており、
当該尿溜容器は、前記本体部に対して着脱可能であることを特徴とする尿溜容器。
【請求項２】
請求項１に記載の尿溜容器において、
当該尿溜容器は、前記第１の開口部が設けられた前記第１の側面部に対して略隙間なく接した状態で設置される尿溜容器。
【請求項３】
請求項１又は２に記載の尿溜容器において、
当該尿溜容器の底面部である第２の底面部及び前記第２の側面部で囲まれた空間を上方から覆う蓋部を有する尿溜容器。
【請求項４】
請求項１乃至３の何れかに記載の尿溜容器において、
前記第２の側面部の上端は、当該尿溜容器が前記トイレに設置された状態で、前記第１の開口部の上端よりも高い位置にある尿溜容器。
【請求項５】
請求項１乃至４の何れかに記載の尿溜容器において、
前記第２の開口部の底面は、当該尿溜容器の内側に向かって下方に傾斜している尿溜容器。
【請求項６】
請求項１乃至５の何れかに記載の尿溜容器において、
当該尿溜容器には、把手が設けられている尿溜容器。
【請求項７】
請求項１乃至６の何れかに記載の尿溜容器において、
当該尿溜容器には、前記尿を吸収する吸水材が配設される尿溜容器。
【請求項８】
請求項７に記載の尿溜容器において、
前記吸水材は、植物性材料の粉砕物と吸水性ポリマーとの混合物からなる尿溜容器。
【請求項９】
請求項８に記載の尿溜容器において、
前記植物性材料は、茶葉又は茶殻である尿溜容器。
【請求項１０】
請求項８に記載の尿溜容器において、
前記植物性材料は、コーヒー豆、インスタントコーヒー又はコーヒー滓である尿溜容器。
【請求項１１】
請求項８に記載の尿溜容器において、
前記植物性材料は、枝、葉又は花である尿溜容器。
【請求項１２】
請求項７乃至１１の何れかに記載の尿溜容器において、
当該尿溜容器内には、前記吸水材を収容する収容袋が設置される尿溜容器。
【請求項１３】
請求項１２に記載の尿溜容器において、
前記収容袋には、前記吸水材を通過させずに前記尿を通過させる穴部が設けられている尿溜容器。
【請求項１４】
請求項１３に記載の尿溜容器において、
前記収容袋の少なくとも一部分は、網状をしており、当該部分の網目が前記穴部を構成している尿溜容器。
【請求項１５】
請求項１乃至１４の何れかに記載の尿溜容器において、
当該尿溜容器の外側に突出する架橋部材が設けられており、
前記架橋部材は、前記第２の開口部の底面と連続しており、当該第２の開口部に流入する前記尿の流路となる尿溜容器。
【請求項１６】
請求項１５に記載の尿溜容器において、
前記架橋部材は、当該尿溜容器の外側に向かって上方に傾斜している尿溜容器。
【請求項１７】
請求項１乃至１６の何れかに記載の尿溜容器と、
前記本体部と、
を備えることを特徴とするトイレ。
【請求項１８】
請求項１７に記載のトイレにおいて、
相異なる容積を有する複数の前記尿溜容器を備えるトイレ。
【請求項１９】
請求項１７又は１８に記載のトイレにおいて、
前記第１の底面部は、前記本体部に排泄された前記尿が前記第１の開口部まで流れるように傾斜しているトイレ。
【請求項２０】
請求項１９に記載のトイレにおいて、
前記第１の底面部は、全体が傾斜しているトイレ。
【請求項２１】
請求項１７乃至２０の何れかに記載のトイレにおいて、
前記本体部が載置される床面を基準としたとき、前記第１の開口部の下端の高さは、３０ｍｍ以上であるトイレ。
【請求項２２】
請求項１７乃至２１の何れかに記載のトイレにおいて、
前記第１の開口部は、横長の形状をしているトイレ。
【請求項２３】
請求項１７乃至２２の何れかに記載のトイレにおいて、
前記第１の底面部は、平面視で略矩形状をしており、
前記本体部は、４つの前記第１の側面部を有しているトイレ。
【請求項２４】
請求項２３に記載のトイレにおいて、
前記第１の開口部の横の長さは、当該第１の開口部が設けられた前記第１の側面部の横幅よりも小さいトイレ。
【請求項２５】
請求項２４に記載のトイレにおいて、
前記第１の開口部の前記横の長さは、前記第１の側面部の前記横幅の３分の１以下であるトイレ。
【請求項２６】
請求項１７乃至２５の何れかに記載のトイレにおいて、
前記第１の開口部の底面は、前記本体部の外側に向かって下方に傾斜しているトイレ。
【請求項２７】
請求項１７乃至２６の何れかに記載のトイレにおいて、
前記本体部内には、前記尿を透過させる複数の粒状体が敷設されるトイレ。
【請求項２８】
請求項２７に記載のトイレにおいて、
前記粒状体は、前記第１の底面部上に直接敷設されるトイレ。
【請求項２９】
請求項２７又は２８に記載のトイレにおいて、
前記第１の開口部は、前記粒状体を通過させないトイレ。
【請求項３０】
請求項１７乃至２９の何れかに記載のトイレにおいて、
前記第１の開口部には、当該第１の開口部の一部を閉塞するストッパー部材が設けられているトイレ。
【請求項３１】
請求項３０に記載のトイレにおいて、
前記ストッパー部材は、網状又は櫛状をしているトイレ。
【請求項３２】
請求項１７乃至３１の何れかに記載のトイレにおいて、
前記第１の側面部の内面から前記本体部の内側に張り出すように設けられ、前記尿からの臭気の上昇を遮断する遮蔽部材を備えるトイレ。
【請求項３３】
請求項３２に記載のトイレにおいて、
前記遮蔽部材は、前記本体部の内側に向かって下方に傾斜しているトイレ。
【請求項３４】
請求項３２又は３３に記載のトイレにおいて、
前記遮蔽部材の一部は、下方に屈曲しているトイレ。
【国際調査報告】
2017149644.tif 000026
2017149644.tif 000027
2017149644.tif 000028
2017149644.tif 000029